(57)【特許請求の範囲】
【請求項１】
各ホール毎のゴルフスコアを入力するスコア入力手段と、
該スコア入力手段により入力されたゴルフスコアを集計するスコア集計手段と、
該スコア集計手段により集計されたゴルフスコアの集計結果を表示する集計結果表示手段と、
各ホール毎のゴルフスコア以外の任意の文字列からなる個人のメモとしての補助情報を入力する補助情報入力手段と、
該補助情報入力手段により入力された補助情報を蓄積する補助情報蓄積手段と、
該補助情報蓄積手段に蓄積された補助情報を表示する補助情報表示手段と、
を含んで構成されたことを特徴とするゴルフ情報利用装置。
【請求項２】
前記補助情報表示手段は、
前記補助情報蓄積手段により蓄積された補助情報のうち、特定の補助情報を表示する第１の表示手段と、
当該補助情報蓄積手段により蓄積された補助情報のうち、複数の補助情報の概略をリスト形式で表示する第２の表示手段と、
前記第１の表示手段により補助情報を表示するか、或いは、前記第２の表示手段により補助情報を表示するかを選択する第１の表示選択手段と、
を備え、
前記第１の表示選択手段により選択された前記第１の表示手段、或いは、前記第２の表示手段により補助情報を表示する構成である請求項１記載のゴルフ情報利用装置。
【請求項３】
前記第２の表示手段によりリスト形式で表示された補助情報の中から、特定の補助情報を選択する補助情報選択手段を備え、
前記第１の表示手段は、前記補助情報選択手段により選択された特定の補助情報を表示する構成である請求項２記載のゴルフ情報利用装置。
【請求項４】
前記補助情報蓄積手段に補助情報が蓄積された特定情報を蓄積する特定情報蓄積手段と、
当該補助情報蓄積手段により蓄積された補助情報を、該補助情報が蓄積された特定情報をキーとしてソートするソート手段と、
を備え、
前記第２の表示手段は、前記ソート手段によりソートされた順番で補助情報の概略をリスト形式で表示する構成である請求項２又は請求項３に記載のゴルフ情報利用装置。
【請求項５】
前記集計結果表示手段によりゴルフスコアの集計結果を表示するか、或いは、前記補助情報表示手段により補助情報を表示するかを選択する第２の表示選択手段を備えた構成である請求項１〜請求項４のいずれか１つに記載のゴルフ情報利用装置。
【請求項６】
前記補助情報表示手段は、前記補助情報蓄積手段により蓄積された補助情報を表示すると共に、該スコア集計手段により集計された集計結果を表示する構成である請求項１〜請求項５のいずれか１つに記載のゴルフ情報利用装置。
【請求項７】
各ホール毎のゴルフスコアを入力するスコア入力工程と、
該スコア入力工程により入力されたゴルフスコアを集計するスコア集計工程と、
該スコア集計工程により集計されたゴルフスコアの集計結果を表示する集計結果表示工程と、
各ホール毎のゴルフスコア以外の任意の文字列からなる個人のメモとしての補助情報を入力する補助情報入力工程と、
該補助情報入力工程により入力された補助情報を蓄積する補助情報蓄積工程と、
該補助情報蓄積工程に蓄積された補助情報を表示する補助情報表示工程と、
を含んで構成されたことを特徴とするゴルフ情報利用方法。
【請求項８】
各ホール毎のゴルフスコアを入力するスコア入力機能と、
該スコア入力機能により入力されたゴルフスコアを集計するスコア集計機能と、
該スコア集計機能により集計されたゴルフスコアの集計結果を表示する集計結果表示機能と、
各ホール毎のゴルフスコア以外の任意の文字列からなる個人のメモとしての補助情報を入力する補助情報入力機能と、
該補助情報入力機能により入力された補助情報を蓄積する補助情報蓄積機能と、
該補助情報蓄積機能に蓄積された補助情報を表示する補助情報表示機能と、
を実現するためのゴルフ情報利用プログラムを記録した記録媒体。
【発明の詳細な説明】
【０００１】
【発明の属する技術分野】
本発明は、ゴルフスコアを入力、集計及び表示するゴルフ情報利用装置に関し、特に、各ホール毎に補助情報を入力できるようにする技術に関する。
【０００２】
【従来の技術】
従来から、コンピュータを利用して、ゴルフスコアの集計を行うゴルフ情報利用装置が知られている（特開平８−１９６３０号公報等参照）。かかるゴルフ情報利用装置は、各ホール毎にショット数及びパット数（以下「スコア」という）を入力し、ゴルフスコアを集計及び表示するものである。
【０００３】
【発明が解決しようとする課題】
しかしながら、従来のゴルフ情報利用装置は、各ホール毎にスコアを入力することしかできず、紙製のスコアカードと機能上何ら変りのないものであった。このため、各ホール毎にスコアを入力するためだけに、ゴルフ情報利用装置を使用する者は少なく、ゴルフ情報利用装置の有効利用が図られていないのが実状であった。
【０００４】
そこで、本発明は以上のような従来の問題点に鑑み、各ホール毎に入力されるスコアに加え、将来のプレーに役立てることができる補助情報を入力できるようにし、ゴルフ情報利用装置の有効利用を図ることを目的とする。
【０００５】
【課題を解決するための手段】
このため、請求項１記載の発明は、各ホール毎のゴルフスコアを入力するスコア入力手段と、該スコア入力手段により入力されたゴルフスコアを集計するスコア集計手段と、該スコア集計手段により集計されたゴルフスコアの集計結果を表示する集計結果表示手段と、各ホール毎のゴルフスコア以外の任意の文字列からなる個人のメモとしての補助情報を入力する補助情報入力手段と、該補助情報入力手段により入力された補助情報を蓄積する補助情報蓄積手段と、該補助情報蓄積手段に蓄積された補助情報を表示する補助情報表示手段と、を含んでゴルフ情報利用装置を構成した。
【０００６】
ここで、「補助情報」とは、グリーンの目、コースの傾斜、コースのくせ、風の状態、アプローチ方向、飛距離等のゴルフに関連したゴルフスコア以外の任意の文字列からなる個人のメモをいう。
かかる構成によれば、各ホール毎にゴルフスコアを入力する際に、ゴルフスコアとは別に補助情報入力手段により補助情報を入力することができる。入力された補助情報は、補助情報蓄積手段により蓄積される。そして、補助情報蓄積手段により蓄積された補助情報を参照したいときには、補助情報表示手段により補助情報を表示させる。即ち、ゴルフスコアを入力するだけのゴルフ情報利用装置に比べ、各ホール毎に補助情報を入力することができ、これをプレー後に参照することで、将来のプレーに役立てることができるようになる。
【０００７】
請求項２記載の発明は、前記補助情報表示手段は、前記補助情報蓄積手段により蓄積された補助情報のうち、特定の補助情報を表示する第１の表示手段と、当該補助情報蓄積手段により蓄積された補助情報のうち、複数の補助情報の概略をリスト形式で表示する第２の表示手段と、前記第１の表示手段により補助情報を表示するか、或いは、前記第２の表示手段により補助情報を表示するかを選択する第１の表示選択手段と、を備え、前記第１の表示選択手段により選択された前記第１の表示手段、或いは、前記第２の表示手段により補助情報を表示する構成とした。
【０００８】
かかる構成によれば、補助情報蓄積手段により蓄積された補助情報を参照するときには、第１の表示手段により特定の補助情報を表示するか、或いは、第２の表示手段により複数の補助情報の概略を表示するかを自由に選択できる。即ち、第１の表示手段により特定の補助情報を表示すれば、入力した補助情報の内容を読み取ることができる。また、第２の表示手段により複数の補助情報の概略を表示すれば、どのような補助情報が蓄積されているかを一目で把握することができる。
【０００９】
請求項３記載の発明は、前記第２の表示手段によりリスト形式で表示された補助情報の中から、特定の補助情報を選択する補助情報選択手段を備え、前記第１の表示手段は、前記補助情報選択手段により選択された特定の補助情報を表示する構成とした。
かかる構成によれば、補助情報蓄積手段により蓄積された補助情報の中から特定の補助情報を参照するには、次のようにすればよい。先ず、第２の表示手段により複数の補助情報の概略を表示させる。次に、補助情報選択手段により表示された補助情報の概略の中から参照したい補助情報を選択する。そして、第１の表示手段により補助情報を表示させれば、選択した補助情報が表示される。即ち、リスト形式で表示された複数の補助情報の概略の中から、参照したい補助情報を選択し、第１の表示手段により補助情報を表示させればよい。
【００１０】
請求項４記載の発明は、前記補助情報蓄積手段に補助情報が蓄積された特定情報を蓄積する特定情報蓄積手段と、当該補助情報蓄積手段により蓄積された補助情報を、該補助情報が蓄積された特定情報をキーとしてソートするソート手段と、を備え、前記第２の表示手段は、前記ソート手段によりソートされた順番で補助情報の概略をリスト形式で表示する構成とした。
【００１１】
かかる構成によれば、第２の表示手段によりリスト形式で表示される複数の補助情報の概略は、補助情報が蓄積された特定情報をキーとしてソートされた順番で表示される。従って、入力された補助情報の概略を整列した状態で表示することができ、補助情報の選択等が容易に行われる。
請求項５記載の発明は、前記集計結果表示手段によりゴルフスコアの集計結果を表示するか、或いは、前記補助情報表示手段により補助情報を表示するかを選択する第２の表示選択手段を備えた構成とした。
【００１２】
かかる構成によれば、ゴルフ情報利用装置には、ゴルフスコアの集計結果を表示するか、或いは、補助情報を表示するかを自由に選択することができる。従って、ゴルフ情報利用装置の表示装置を最大限利用して、ゴルフスコアの集計結果或いは補助情報が表示される。
請求項６記載の発明は、前記補助情報表示手段は、前記補助情報蓄積手段により蓄積された補助情報を表示すると共に、該スコア集計手段により集計された集計結果を表示する構成とした。
【００１３】
かかる構成によれば、各ホール毎に入力された補助情報に加え、過去に入力されたゴルフスコアの集計結果が表示される。従って、補助情報及びゴルフスコアの集計結果を同時に参照することができ、例えば、コースの攻略方法を考える場合等に、有効なデータが提供されることとなる。
請求項７記載の発明は、各ホール毎のゴルフスコアを入力するスコア入力工程と、該スコア入力工程により入力されたゴルフスコアを集計するスコア集計工程と、該スコア集計工程により集計されたゴルフスコアの集計結果を表示する集計結果表示工程と、各ホール毎のゴルフスコア以外の任意の文字列からなる個人のメモとしての補助情報を入力する補助情報入力工程と、該補助情報入力工程により入力された補助情報を蓄積する補助情報蓄積工程と、該補助情報蓄積工程に蓄積された補助情報を表示する補助情報表示工程と、を含んでゴルフ情報利用方法を構成した。
【００１４】
かかる構成によれば、各ホール毎にゴルフスコアを入力する際に、ゴルフスコアとは別に補助情報入力工程により補助情報を入力することができる。入力された補助情報は、補助情報蓄積工程により蓄積される。そして、補助情報蓄積工程により蓄積された補助情報を参照したいときには、補助情報表示工程により補助情報を表示させる。即ち、ゴルフスコアを入力するだけのゴルフ情報利用方法に比べ、各ホール毎に補助情報を入力することができ、これをプレー後に参照することで、将来のプレーに役立てることができるようになる。
【００１５】
請求項８記載の発明は、各ホール毎のゴルフスコアを入力するスコア入力機能と、該スコア入力機能により入力されたゴルフスコアを集計するスコア集計機能と、該スコア集計機能により集計されたゴルフスコアの集計結果を表示する集計結果表示機能と、各ホール毎のゴルフスコア以外の任意の文字列からなる個人のメモとしての補助情報を入力する補助情報入力機能と、該補助情報入力機能により入力された補助情報を蓄積する補助情報蓄積機能と、該補助情報蓄積機能に蓄積された補助情報を表示する補助情報表示機能と、を実現するためのゴルフ情報利用プログラムを記録媒体に記録した。
【００１６】
ここで、「記録媒体」とは、各種情報を確実に記録でき、かつ、必要に応じて確実に取り出し可能なものをいい、紙カード（パンチカード）、紙テープ、磁気テープ、磁気ディスク、磁気ドラム、ＩＣカード、ＣＤ−ＲＯＭ等が該当する。
かかる構成によれば、スコア入力機能、スコア集計機能、集計結果表示機能、補助情報入力機能、補助情報蓄積機能及び補助情報表示機能を実現するためのゴルフ情報利用プログラムが記録媒体に記録される。従って、かかる記録媒体があれば、本発明に係るゴルフ情報利用装置が容易に構築される。
【００１７】
【発明の実施の形態】
以下、添付された図面を参照して本発明を詳述する。
図１は、ゴルフ情報利用システムの一実施形態を示す。
ゴルフ情報利用システムは、サーバとして機能するパーソナルコンピュータ（以下「ＰＣ」という）１０と、クライアントとして機能するモバイルコンピュータ（携帯端末）２０と、を含んで構成される。ＰＣ１０及びモバイルコンピュータ２０は、少なくとも中央処理装置（ＣＰＵ）、記憶装置（補助情報蓄積手段、補助情報蓄積工程、補助情報蓄積機能、特定情報蓄積手段）、入力装置、出力装置（表示装置）を備え、記憶装置に記憶されたプログラムに従って各種処理を行う。
【００１８】
モバイルコンピュータ２０は、携帯に適した小型かつ軽量なもので、所定のプログラムを記憶装置にインストールすることにより、本発明に係るゴルフ情報利用装置として作動する。なお、本実施形態におけるモバイルコンピュータ２０は、操作性を向上することを目的として、キーボードの代わりに、ペン２２によって入力操作を行う入力装置を備えている。
【００１９】
なお、記憶装置に記憶されたプログラムによって、スコア入力手段、スコア集計手段、集計結果表示手段、補助情報入力手段、補助情報表示手段、第１の表示手段、第２の表示手段、第１の表示選択手段、補助情報選択手段、ソート手段、第２の表示選択手段、スコア入力工程、スコア集計工程、集計結果表示工程、補助情報入力工程、補助情報表示工程、スコア入力機能、スコア集計機能、集計結果表示機能、補助情報入力機能、補助情報表示機能が実現される。
【００２０】
ここで、ＰＣ１０及びモバイルコンピュータ（以下「ゴルフ情報利用装置」という）２０が備える各種機能について、その概要を説明する。
ゴルフ情報利用装置２０には、コースデータ参照機能、スコア入力／参照機能、メモ入力／参照機能、使用クラブ入力／参照機能、簡易個人データ参照機能、オプション機能等が備えられている。コースデータ参照機能は、ホール図、グリーン図、ペナルティエリア、ローカルルール、ホールの攻略ポイント等を参照する機能である。スコア入力／参照機能は、個人別のショット数、パット数、ペナルティ数等のスコアを入力し、入力したスコアを参照する機能である。メモ入力／参照機能は、スコアを入力する際に、各ホール毎にメモ（補助情報）を入力し、入力したメモを参照する機能である。使用クラブ入力／参照機能は、スコアを入力する際に、各ホールで使用したクラブの種別及び飛距離を入力し、入力した使用クラブ及び飛距離を参照する機能である。簡易個人データ参照機能は、個人別の簡易スコアを参照する機能である。オプション機能は、パーティを構成するメンバの登録或いは変更等を行う機能である。
【００２１】
一方、ＰＣ１０には、コースデータ入力機能、個人データ入力機能、コンペデータ入力機能等が備えられている。コースデータ入力機能は、ゴルフ情報利用装置２０のコースデータ参照機能で参照されるコースデータを入力する機能である。個人データ入力機能は、プレイヤーの氏名、ハンディキャップ等の個人データを入力する機能である。コンペデータ入力機能は、コンペの開催日、場所、天候等のコンペデータを入力する機能である。
【００２２】
また、ＰＣ１０とゴルフ情報利用装置２０との間で、データの授受が行えるようにする連携機能が準備されている。連携機能は、専用ケーブル、赤外線、ＰＣカード、インターネット等を介して、ＰＣ１０に蓄積されているデータをゴルフ情報利用装置２０にダウンロード、或いは、ゴルフ情報利用装置２０に蓄積されているデータをＰＣ１０にアップロードする機能である。
【００２３】
次に、ゴルフ情報利用システムの詳細について説明する。
図２は、ゴルフ情報利用装置２０に表示される画面の階層構造を示している。起動時に表示されるメイン画面では、「コースデータの参照」、「スコアの入力／参照」、「簡易個人データの参照」、「オプション」、「終了」を選択するメニューが表示される。ゴルフ情報利用装置２０を利用する者（以下「利用者」という）は、ペン２２を使用して所望するメニューを選択する。
【００２４】
メイン画面において「コースデータの参照」メニューが選択されると、図３（Ａ）に示すように、ローカルルール３０及びホール番号３２から構成されるコースデータ参照画面が表示される。また、ホール情報を参照したいときには、コースデータ表示画面において参照したいホール番号３２を選択する。すると、図３（Ｂ）に示すように、ホールの攻略情報３４及びホール図３６から構成されるホールデータ参照画面が表示される。さらに、グリーン情報を参照したいときには、ホールデータ参照画面において「グリーン」ボタン３８を押す。すると、図３（Ｃ）に示すように、グリーン情報４０及びグリーン図４２から構成されるグリーンデータ参照画面が表示される。
【００２５】
メイン画面において「スコアの入力／参照」メニューが選択されると、図４に示すように、スコア表示部５０及びスコア入力部７０から構成されるスコア入力／参照画面が表示される。
スコア表示部５０は、氏名表示欄５２と、打席表示欄５４と、スコア表示欄５６と、使用クラブ表示欄５８と、飛距離表示欄６０と、を含んで構成される。氏名表示欄５２には、パーティを構成するメンバの氏名（最大４名）が表示される。打席表示欄５４には、打席（１打、２打、・・・）が表示される。スコア表示欄５６には、各ホールにおける個人別のショット数（上段）及びパット数（下段）が表示される。使用クラブ表示欄５８及び飛距離表示欄６０には、各打席における使用クラブ及び飛距離が夫々表示される。
【００２６】
ここで、スコア表示欄５６は、集計結果表示機能、集計結果表示工程、集計結果表示機能を提供する。
スコア入力部７０は、飛距離入力枠７２と、クラブ入力部７４と、ペナルティ入力部７６と、「クリア」ボタン７８と、「メモ」ボタン８０と、「カスタマイズ」ボタン８２と、「終了」ボタン８４と、を含んで構成される。飛距離入力枠７２には、各打席におけるボールの飛距離が入力される。クラブ入力部７４は、使用クラブをワンタッチで入力できるように、ウッド１Ｗ，２Ｗ・・・、アイアン１Ｉ，２Ｉ・・・等を示す複数のクラブ入力ボタン７４ａ〜７４ｒから構成される。ペナルティ入力部７６は、各種ペナルティをワンタッチで入力できるように、各種ペナルティを示す複数のペナルティ入力ボタン７６ａ〜７６ｆから構成される。「クリア」ボタン７８は、指定したセルのスコア等をクリアするときに押される。「メモ」ボタン８０は、各ホール毎にメモを入力するときに押される。「カスタマイズ」ボタン８２は、クラブ入力ボタンを変更したり、或いは、クラブ入力ボタンの配置を変更するときに押される。「終了」ボタン８４は、スコアの入力／参照を終了し、メイン画面に戻るときに押される。
【００２７】
ここで、クラブ入力部７４及びペナルティ入力部７６は、スコア入力手段、スコア入力工程、スコア入力機能を提供する。
なお、クラブ入力ボタン７４ａ〜７４ｒ及びペナルティ入力ボタン７６ａ〜７６ｆは、種類別（ウッドＷ，アイアンＩ，パターＰ，ペナルティ等）に応じて色分けして表示され、利用者の視認性を高めている。但し、表示装置がモノクロの場合には、色の代わりに階調を変えて表示する。
【００２８】
スコア入力／参照画面上でスコアを入力するときには、スコアを入力する打席に対応する打席表示欄５４、使用クラブ表示欄５８或いは飛距離表示欄６０（以下「入力対象セル」という）を選択する。すると、入力対象セルにカーソルが移動し、入力待ちの状態となる。この状態で、使用クラブに対応するクラブ入力ボタン７４ａ〜７４ｒ、或いは、ペナルティに対応するペナルティ入力ボタン７６ａ〜７６ｆを押す。すると、使用クラブ表示欄５８にクラブ種別（１Ｗ，２Ｗ・・・等）或いはペナルティ種別（ＯＢ，ロスト・・・等）が表示されると共に、スコア表示欄５６に表示されているショット数及びパット数が自動的にカウントアップされる。このとき、飛距離入力枠７２に飛距離を入力しておけば、入力した飛距離が飛距離表示欄６０に表示される。
【００２９】
また、クラブ入力ボタンを変更或いは追加するときには、「カスタマイズ」ボタン８２を押す。すると、図４（Ｂ）に示すように、設定テーブル部９０及びクラブ設定部１００から構成されるボタンカスタマイズ画面が表示される。設定テーブル部９０には、各クラブ入力ボタン７４ａ〜７４ｒに対応するクラブ種別及びクラブ種類（ウッドＷ，アイアンＩ、パターＰ・・・等）が表示される。クラブ設定部１００は、クラブ入力ボタンを設定する複数の設定ボタン１０２（１０２ａ〜１０２ｖ）と、「他クラブ」ボタン１０４と、「登録」ボタン１０６と、「取消」ボタン１０８と、を含んで構成される。
【００３０】
クラブ入力ボタンを変更等するには、設定テーブル部９０から変更したいクラブ入力ボタンを選択する。すると、選択したクラブ入力ボタンのセルにカーソルが移動し、入力待ちの状態となる。この状態で、新たに設定するクラブ種別を示す設定ボタン１０２ａ〜１０２ｖを押す。すると、押された設定ボタン１０２ａ〜１０２ｖに対応するクラブ種別及びクラブ種類が、設定テーブル部９０に表示される。クラブ入力ボタンの変更を終了してスコア入力／参照画面に戻るには、「登録」ボタン１０６或いは「取消」ボタン１０８を押す。「登録」ボタン１０６が押されたときには、設定テーブル部９０の内容が記憶装置に保存される。一方、「取消」ボタン１０８が押されたときには、設定テーブル部９０の内容が記憶装置に保存されず、クラブ入力ボタンが変更前の状態に戻る。
【００３１】
さらに、クラブ入力部７４には、任意のクラブに対応するクラブ入力ボタンを追加することができる。即ち、クラブ設定部１００の「他クラブ」ボタン１０４を押すと、図４（Ｃ）に示すような他クラブ設定画面が表示される。他クラブ設定画面は、クラブ名入力枠１１０と、クラブ種類選択ボックス１１２と、「登録」ボタン１１４と、「取消」ボタン１１６と、を含んで構成される。クラブ名入力枠１１０には、クラブ入力ボタンの表面に表示されるクラブ名を入力する。クラブ種類選択ボックス１１２は、例えば、プルダウンメニューによって構成され、追加されるクラブ種類が表示される。
【００３２】
クラブ入力ボタンを追加するには、クラブ名入力枠１１０にクラブ名を入力すると共に、クラブ種類選択ボックス１１２からクラブ種類を選択する。そして、「登録」ボタン１１４を押すと、入力したクラブ名及びクラブ種類に対応したクラブ入力ボタンが生成され、ボタンカスタマイズ画面に戻り、生成されたクラブ入力ボタンが追加表示される。一方、「取消」ボタン１１６を押すと、新たなクラブ入力ボタンの生成が行われず、ボタンカスタマイズ画面に戻る。
【００３３】
スコア入力／参照画面において「メモ」ボタン８０が押されると、図５（Ａ）に示すようなメモ入力画面が表示される。メモ入力画面は、ゴルフ倶楽部表示欄１２０と、識別番号表示欄１２２と、日付表示欄１２４と、プレイヤー表示欄１２６と、メモ表示欄１２８と、メモ入力ボード１３０と、「履歴」ボタン１３２と、「登録」ボタン１３４と、「終了」ボタン１３６と、を含んで構成される。
【００３４】
なお、メモ入力ボード１３０は、補助情報入力手段、補助情報入力工程、補助情報入力機能を提供し、メモ表示欄１２８は、補助情報表示手段、補助情報表示工程、補助情報表示機能を提供する。また、「履歴」ボタン１３２及び「終了」ボタン１３６は、第２の表示選択手段を提供する。
ゴルフ倶楽部表示欄１２０には、コンペが行われているゴルフ倶楽部名が表示される。識別番号表示欄１２２には、記憶装置に保存されているメモを識別する識別番号が表示される。日付表示欄１２４には、メモを入力する日付が表示される。プレーヤー表示欄１２６には、メンバを識別するプレイヤー名が表示される。メモ表示欄１２８には、メモ入力ボード１３０から入力されたメモが表示される。メモ入力ボード１３０には、ペン２２による手書き入力でメモが入力される。なお、メモ入力ボード１３０にキーボードを表示し、表示されたキーボードをタッチすることで、メモを入力できるようにしてもよい。「履歴」ボタン１３２は、記憶装置に保存されているメモを参照するときに押される。「登録」ボタン１３４は、入力したメモを記憶装置に保存するときに押される。即ち、「登録」ボタン１３４を押すまでは、入力したメモはメモリ上に一時保存されており、「登録」ボタン１３４を押すことで、初めてメモが記憶装置に保存される。「終了」ボタン１３６は、メモ入力を終了し、スコア入力／参照画面に戻るときに押される。
【００３５】
メモ入力画面において「履歴」ボタン１３２が押されると、図５（Ｂ）に示すように、１件のメモを参照するメモ１件画面が表示される。メモ１件画面は、ゴルフ倶楽部表示欄１４０と、識別番号表示欄１４２と、日付表示欄１４４と、プレイヤー表示欄１４６と、メモ表示欄１４８と、集計スコア表示欄１５０と、「１件」ボタン１５２と、「リスト」ボタン１５４と、「前」ボタン１５６と、「次」ボタン１５８と、「終了」ボタン１６０と、を含んで構成される。なお、以下の説明では、先のメモ入力画面と相違する機能についてのみ説明する。
【００３６】
ここで、メモ表示欄１４８及び集計スコア表示欄１５０は、補助情報表示手段、補助情報表示工程、補助情報表示機能を提供する。また、「１件」ボタン１５２及び「リスト」ボタン１５４は、第１の表示選択手段を提供する。さらに、メモ表示欄１４８は、第１の表示手段を提供する。
日付表示欄１４４には、メモを入力した日付が表示される。メモ表示欄１４８には、メモ１件画面が最初に起動されたときに、最後に入力されたメモ、即ち、最新のメモが自動的に選択されて表示される。そして、後述する操作を行うことにより、選択したメモがメモ表示欄１４８に表示される。集計スコア表示欄１５０には、各ホール毎に入力されたスコア、即ち、ショット数及びパット数が表示される。「１件」ボタン１５２及び「リスト」ボタン１５４は、いわゆるラジオボタン的に作動し、メモ１件画面と後述するメモリスト画面とを切り換えるときに押される。「前」ボタン１５６及び「次」ボタン１５８は、表示されているメモを順次古いものへ、或いは、順次新しいものへ切り換えるときに押される。「終了」ボタン１６０は、メモの参照を終了し、メモ入力画面に戻るときに押される。
【００３７】
また、メモ１件画面において「リスト」ボタン１５４が押されると、図５（Ｃ）に示すように、複数のメモをリスト形式で参照するメモリスト画面が表示される。メモリスト画面は、ゴルフ倶楽部表示欄１７０と、識別番号表示欄１７２と、プレイヤー表示欄１７４と、メモリスト表示欄１７６と、集計スコア表示欄１７８と、「１件」ボタン１８０と、「リスト」ボタン１８２と、「終了」ボタン１８４と、を含んで構成される。なお、以下の説明では、先のメモ入力画面或いはメモ１件画面と相違する機能についてのみ説明する。
【００３８】
ここで、メモリスト表示欄１７６及び集計スコア表示欄１７８は、補助情報表示手段、補助情報表示工程、補助情報表示機能を提供する。また、「１件」ボタン１８０及び「リスト」ボタン１８２は、第１の表示選択手段を提供する。さらに、メモリスト表示欄１７６は、第２の表示手段を提供する。
メモリスト表示欄１７６には、記憶装置に保存されているメモが、ソート手段により日付（特定情報）をキーとして降順にソートされ、リスト形式で表示される。表示される各リストは、日付、見出し、ショット数、パット数から構成される。見出しには、メモの先頭１０文字程度を表示し、メモ内容の概要を把握できるようにする。スコア集計表示欄１７８には、各ホール毎に入力された全スコアを集計した平均ショット数及び平均パット数が表示される。「終了」ボタン１８４は、メモの参照を終了し、メモ入力画面に戻るときに押される。
【００３９】
なお、メモをリスト形式で表示するには、例えば、日付をキーとしたソート結果に基づいてメモを表示してもよいし、或いは、メモを入力した日付をキーとしてメモの履歴を保存し、保存した履歴に基いてメモを表示してもよい。また、メモのソートは、例えば、プレイヤー名、ゴルフ倶楽部名、ゴルフコース、ホール等をキーとしてソートしてもよい。
【００４０】
メモリスト画面からメモ１件画面に切り換えるには、メモリスト表示欄１７６に表示されているリストから表示したいメモを選択する。そして、「１件」ボタン１８０を押すと、選択されたメモを表示するメモ１件画面に切り換わる。
ここで、以上説明したスコア入力／参照処理、ボタンカスタマイズ処理、他クラブ設定処理、メモ入力／参照処理について、図６〜図１１のフローチャートを参照しつつ説明する。
【００４１】
図６及び図７は、スコア入力／参照処理を行うメインルーチンを示す。
ステップ１（図では「Ｓ１」と略記する。以下同様）では、スコア入力／参照画面において、ボタン押し下げイベントを受け付ける。即ち、ボタンが押されたことを示すメッセージを受け取るまで待機する。
ステップ２では、押されたボタン種別に基づく分岐処理を行う。即ち、「クラブ」ボタン７４ａ〜７４ｒが押されたときにはステップ３へと進み、スコアの入力及び表示処理を行う。「ペナルティ」ボタン７６ａ〜７６ｆが押されたときにはステップ１１へと進み、ペナルティの入力及び表示処理を行う。「クリア」ボタン７８が押されたときにはステップ１２へと進み、スコア入力／参照画面における入力対象セルのクリア処理を行う。「メモ」ボタン８０が押されたときにはステップ１７へと進み、メモの入力及び参照を行うサブルーチン（図１０参照）をコールする。「カスタマイズ」ボタン８２が押されたときにはステップ１８へと進み、クラブ入力ボタンのカスタマイズを行うサブルーチン（図８参照）をコールする。「終了」ボタン８４が押されたときには処理を終了する。
【００４２】
ステップ３では、押されたクラブ入力ボタン７４ａ〜７４ｒに対応するクラブ種別を、使用クラブ表示欄５８に表示する。例えば、図４（Ａ）のスコア入力／参照画面において、プレイヤー４の１打を入力する際に「１Ｗ」ボタンを押すと、使用クラブ表示欄５８に「１Ｗ」が表示される。なお、クラブ種別は、クラブ種類に応じて色分けされた色で表示される。
【００４３】
ステップ４では、押されたクラブ入力ボタンの種別がパターであるか否かを判断する。そして、パターであればステップ５へと進み（Ｙｅｓ）、スコア表示欄５６に表示されているパット数をカウントアップする。一方、パターでなければステップ６へと進む（Ｎｏ）。
ステップ６では、スコア表示欄５６に表示されているショット数をカウントアップする。ショット数のカウントアップは、押されたボタンに応じたショット数だけカウントアップする。例えば、「ペナルティ」ボタン７６ａ〜７６ｆが押された場合には、各種ペナルティに応じたショット数だけショット数をカウントアップする。
【００４４】
なお、ステップ４〜ステップ６の処理が、スコア集計手段、スコア集計工程、スコア集計機能を実現する。また、ステップ５及びステップ６の処理が、集計結果表示手段、集計結果表示工程、集計結果表示機能を実現する。
ステップ７では、飛距離入力枠７２に飛距離が入力されているか否かを判断する。そして、飛距離が入力されていればステップ８へと進み（Ｙｅｓ）、入力された飛距離を飛距離表示欄６０に表示する。一方、飛距離が入力されていなければステップ９へと進む（Ｎｏ）。
【００４５】
ステップ９では、入力されたクラブ種別及び飛距離、集計されたショット数及びパット数を記憶装置に保存する。
ステップ１０では、スコア表示部５０において、次回の入力対象セルにカーソルを移動する。そして、ステップ１へと戻り処理を繰り返す。
ステップ１１では、押されたペナルティボタン７６ａ〜７６ｆに対応するペナルティ種別（ＯＢ，ロスト等）を、使用クラブ表示欄５８に表示する。例えば、図４（Ａ）の画面において、プレイヤー１の２打を入力する際に「ロスト」ボタンを押すと、使用クラブ表示欄５８に「ロスト」と表示される。そして、ステップ６へと進み、ショット数のカウントアップ等を行う。なお、ペナルティ種別は、各種ペナルティに応じて色分けされた色で表示される。
【００４６】
ステップ１２では、入力対象セルの使用クラブ表示欄５８に表示されているクラブ種別がパターであるか否かを判断する。そして、パターであればステップ１３へと進み（Ｙｅｓ）、スコア表示欄５６に表示されているパット数をカウントダウンする。一方、パターでなければステップ１４へと進む（Ｎｏ）。
ステップ１４では、スコア表示欄５６に表示されているショット数をカウントダウンする。このとき、入力対象セルの使用クラブ表示欄５８にペナルティ種別が表示されてれば、表示されているペナルティに対応するショット数だけショット数をカウントダウンする。
【００４７】
ステップ１５では、入力対象セルの使用クラブ表示欄５８から、クラブ種別或いはペナルティ種別を削除する。
ステップ１６では、入力対象セルの飛距離表示欄６０から、飛距離を削除する。そして、ステップ９へと進み、カウントダウンされたショット数及びパット数等を記憶装置に保存する。
【００４８】
図８は、クラブ入力ボタンのカスタマイズを行うサブルーチンを示す。
ステップ２０では、ボタンカスタマイズ画面において、ボタン押し下げイベントを受け付ける。即ち、ボタンが押されたことを示すメッセージを受け取るまで待機する。
ステップ２１では、押されたボタン種別に基づく分岐処理を行う。即ち、「クラブ」ボタン１０２ａ〜１０２ｖが押されたときにはステップ２２へと進み、表示されている設定テーブル部９０の内容を更新する。「他クラブ」ボタン１０４が押されたときにはステップ２４へと進み、他クラブの設定を行うサブルーチン（図９参照）をコールする。「登録」ボタン１０６が押されたときにはステップ２５へと進み、記憶装置への保存処理を行う。「取消」ボタン１０８が押されたときには処理を終了する。
【００４９】
ステップ２２では、設定テーブル部９０から選択されたセルに、押された設定ボタン１０２ａ〜１０２ｖに対応するクラブ種別及びクラブ種類を表示する。例えば、図４（Ｂ）に示すボタンカスタマイズ画面において、クラブボタン１を選択して「１Ｗ」ボタンを押すと、設定テーブル部９０には、クラブ種別「１Ｗ」及びクラブ種類「Ｗ（ウッド）」が表示される。なお、クラブ種類は、クラブ種別に対応して自動的に決定される。
【００５０】
ステップ２３では、設定テーブル部９０の内容をメモリ上に一時保存する。そして、ステップ２０へと進み、ボタンが押されたことを示すメッセージを受け取るまで待機する。
ステップ２５では、メモリ上に一時保存されている設定テーブル部９０の内容を記憶装置に保存し、処理を終了する。
【００５１】
図９は、他クラブの設定を行うサブルーチンを示す。
ステップ３０では、図４（Ｃ）に示す他クラブ設定画面において、ボタン押し下げイベントを受け付ける。即ち、ボタンが押されたことを示すメッセージを受け取るまで待機する。
ステップ３１では、押されたボタン種別に基づく分岐処理を行う。即ち、「登録」ボタン１１４が押されたときにはステップ３２へと進み、他クラブの設定処理を行う。「取消」ボタン１１６が押されたときには処理を終了する。
【００５２】
ステップ３２では、クラブ名入力枠１１０に入力されたクラブ名、及び、クラブ種類選択ボックス１１２から選択されたクラブ種類をメモリ上に一保存し、処理を終了する。
以上説明した図６〜図９の処理によれば、スコア入力／参照画面において、押されたボタンに応じた各種処理が行われる。「クラブ」ボタン７４ａ〜７４ｒ或いは「ペナルティ」ボタン７６ａ〜７６ｆが押された場合には、使用クラブ種別或いはペナルティ種別（以下「使用クラブ種別等」という）が表示されると共に、ショット数及びカウント数が自動的にカウントアップされる。このとき、飛距離が入力されていれば、入力された飛距離が表示される。そして、入力された使用クラブ種別等及び飛距離、集計されたショット数及びパット数が記憶装置に保存される。また、「クリア」ボタン７８が押された場合には、入力対象セルに表示されているクラブ種別等及び飛距離が削除されると共に、ショット数及びパット数が自動的にカウントダウンされる。さらに、「カスタマイズ」ボタン８２が押されれば、スコア入力／参照画面に表示されるクラブ入力ボタンを自由に変更或いは追加することができる。
【００５３】
即ち、本実施形態に係るゴルフスコア集計装置を使用すれば、各ホールで使用されたクラブ種別等を入力するだけで、スコアの入力が自動的に行われる。従って、ゴルフスコアを入力するだけのゴルフスコア集計システムに比べ、保存されるプレイデータが増え、これを将来のプレーに役立てることができる。また、クラブ入力ボタンを自由に変更或いは追加することができるため、プレイヤー毎に異なる使用クラブにも容易に対応することができる。
【００５４】
図１０は、メモの入力及び参照処理を行うサブルーチンを示す。
ステップ４０では、図５（Ａ）に示すメモ入力画面において、操作イベントの受け付けを行う。即ち、何らかの操作が行われたことを示すメッセージを受け取るまで待機する。
ステップ４１では、操作イベントに基づく分岐処理を行う。即ち、「履歴」ボタン１３２が押されたときにはステップ４２へと進み、記憶装置に保存されているメモの参照を行うサブルーチン（図１１参照）をコールする。「登録」ボタン１３４が押されたときにはステップ４３へと進み、メモ表示欄１２８に表示されているメモの内容を記憶装置に保存する。メモ入力ボード１３０から文字が入力されたときにはステップ４４へと進み、入力された文字列（メモ）をメモ表示欄１２８に表示する。「終了」ボタン１３６が押されたときには処理を終了する。
【００５５】
図１１は、メモの参照を行うサブルーチンを示す。なお、メモの参照を行うサブルーチンは、メモ１件画面及びメモリスト画面で共通のものを使用する。
ステップ５０では、記憶装置に保存されているメモの内容を、メモ１件画面のメモ表示欄１４８に表示する。即ち、記憶装置に保存されているメモの中から最新日付のメモが選択され、選択されたメモがメモ表示欄１４８に表示される。
【００５６】
ステップ５１では、過去にスコアが入力されているか否か、即ち、記憶装置にスコアが入力されているか否かを判断する。そして、スコアが入力されているときにはステップ５２へと進み（Ｙｅｓ）、スコアが入力されていないときにはステップ５３へと進む（Ｎｏ）。
ステップ５２では、記憶装置に保存されているスコアを集計し、集計スコアを集計スコア表示欄１５０に表示する。ここで、表示される集計スコアは、図５（Ｂ）に示すメモ１件画面では、メモを入力したホールにおけるショット数及びパット数であり、図５（Ｃ）に示すメモリスト画面では、入力した全てのスコアの平均ショット数及び平均パット数である。
【００５７】
ステップ５３では、メモ１件画面或いはメモリスト画面において、ボタン押し下げイベントを受け付ける。即ち、ボタンが押されたことを示すメッセージを受け取るまで待機する。
ステップ５４では、押されたボタン種別に基づく分岐処理を行う。即ち、「リスト」ボタン１５４が押されたときにはステップ５５へと進み、メモリスト画面の表示を行う。「１件」ボタン１８０が押されたときにはステップ５６へと進み、メモ１件画面の表示を行う。「前」ボタン１５６が押されたときにはステップ５７へと進み、１つ前のメモを表示する。「次」ボタン１５８が押されたときにはステップ５８へと進み、１つ後のメモを表示する。「終了」ボタン１６０或いは１７８が押されたときには処理を終了する。
【００５８】
ステップ５５では、メモ１件画面からメモリスト画面への表示切り換えを行う。即ち、メモ１件画面において「リスト」ボタン１５４が押されると、メモリスト画面の表示を行う。メモリスト画面には、日付をキーとして記憶装置に保存されているメモを降順にソートし、日付、見出し及びスコアが表示される。そして、ステップ５１へと進む。なお、ステップ５５の処理が、第２の表示手段を実現する。
【００５９】
ステップ５６では、メモリスト画面からメモ１件画面への表示切り換えを行う。即ち、メモリスト画面において「１件」ボタン１８０が押されると、メモ１件画面の表示を行う。そして、ステップ５１へと進む。
ステップ５７では、メモ１件画面のメモ表示欄１４８に表示されているメモの１つ前のメモ（即ち、時間的に１つ古いメモ）を、メモ表示欄１４８に表示し、ステップ５１へと進む。
【００６０】
ステップ５８では、メモ１件画面のメモ表示欄１４８に表示されているメモの１つ後のメモ（即ち、時間的に１つ新しいメモ）を、メモ表示欄１４８に表示し、ステップ５１へと進む。
なお、ステップ５０及びステップ５６〜ステップ５８の処理が、第１の表示手段を実現する。また、ステップ５０〜ステップ５２及びステップ５５〜ステップ５８の処理が、補助情報表示手段、補助情報表示工程、補助情報表示機能を実現する。
【００６１】
以上説明した図１０及び図１１の処理によれば、各ホールにおいてスコアを入力する際に、必要に応じて任意のメモを入力することができる。即ち、ゴルフスコア入力／参照画面において「メモ」ボタン８０を押すと、メモ入力画面が表示される。そして、メモ入力画面において、任意のメモを入力することができる。また、入力したメモを参照したい場合には、メモ入力画面において「履歴」ボタン１３２を押すと、図５（Ｂ）に示すメモ１件画面が表示される。メモ１件画面では、「前」ボタン１５６或いは「次」ボタン１５８を押すことにより、入力したメモを次々と参照することができる。入力したメモの一覧を参照したい場合には、メモ１件画面において「リスト」ボタン１５４を押すと、図５（Ｃ）に示すメモリスト画面が表示される。そして、表示されているメモのリストから参照したいメモを選択し、「１件」ボタン１８０を押すと、メモ１件画面に切り換わり、選択したメモを参照することができる。
【００６２】
従って、ゴルフスコアを入力するだけのゴルフ情報利用装置に比べ、各ホール毎に任意のメモを入力することができ、これをプレー後に参照することで、将来のプレーに役立てることができる。
メイン画面において「簡易個人データの参照」メニューが選択されると、図１２に示すような簡易個人データ参照画面が表示される。即ち、簡易個人データ参照画面には、日付をキーとして日付、天候、ゴルフ場、スコア（ＯＵＴ，ＩＮ，グロス）、ハンディキャップ、ネット、ＯＢ数が、昇順にリスト形式で表示される。なお、簡易個人データを参照する前には、参照するプレイヤーを予め指定しておく必要がある。
【００６３】
また、メイン画面において「オプション」メニューが選択されると、図１３（Ａ）に示すオプション画面が表示される。オプション画面は、「メンバ登録／変更」ボタン１９０と、「スコアクリア」ボタン１９２と、「全データファイル削除」ボタン１９４と、「終了」ボタン１９６と、を含んで構成される。「メンバ登録／変更」ボタン１９０は、パーティを構成するメンバを新たに登録したり、或いは、登録されているメンバを変更するときに押される。「スコアクリア」ボタン１９２は、入力したスコアをクリアするときに押される。「全データファイル削除」ボタン１９４は、記憶装置に保存されている全データファイルを削除、即ち、全データをクリアするときに押される。「終了」ボタン１９６は、オプション画面の表示を終了し、メイン画面に戻るときに押される。
【００６４】
オプション画面において「メンバ登録／変更」ボタン１９０が押されると、図１３（Ｂ）に示すメンバ登録／変更画面が表示される。メンバ登録／変更画面は、氏名表示欄２００と、ハンディキャップ表示欄２０２と、文字入力ボード２０４と、「登録」ボタン２０６と、「取消」ボタン２０８と、を含んで構成される。氏名表示欄２００には、パーティを構成するメンバの氏名が最大４名分表示される。ハンディキャップ表示欄２０２には、各メンバのハンディキャップが表示される。文字入力ボード２０４には、登録或いは変更するメンバの氏名、ハンディキャップが入力される。「登録」ボタン２０６は、入力したメンバの氏名及びハンディキャップを、記憶装置に保存するときに押される。「取消」ボタン２０８は、メンバの登録／更新処理を中止するときに押される。
【００６５】
メンバの登録或いは変更を行う場合には、氏名表示欄２００或いはハンディキャップ表示欄２０２の中から、登録或いは変更対象となるセルを選択する。そして、文字入力ボード２０４からメンバの氏名或いはハンディキャップを入力する。メンバの氏名或いはハンディキャップの変更が完了したときには、「登録」ボタン２０６を押す。すると、氏名表示欄２００及びハンディキャップ表示欄２０２の内容が記憶装置に保存され、オプション画面に戻る。また、メンバの登録或いは変更を行なっている任意の時点で「取消」ボタン２０８を押すと、メンバ登録／更新処理を強制的に終了し、オプション画面に戻る。
【００６６】
次に、ＰＣ１０とゴルフ情報利用装置２０との間で、データの授受を行う連携機能の必要性について説明する。
ゴルフ情報利用装置２０を使用する場合には、プレーを行う前にコースデータ及びプレイヤーデータを入力しておかなければならない。利用者が、常に同じゴルフ倶楽部でかつ同じメンバでプレーを行う場合には、１度データを入力しておけば、それ以後のプレーでは入力したデータを繰返し利用できる。しかし、異なるゴルフ倶楽部や異なるメンバでプレーを行う場合には、多量のデータを入力し直す必要があり、あまり実用的でない。ゴルフ情報利用装置２０に複数のデータを保存しておくことも考えられるが、モバイルコンピュータは記憶装置の容量が少なく、保存できるデータ量も少ない。また、当日でなければわからないデータ、例えば、カップの位置等は、前もって入力したくともできない。そこで、ＰＣ１０の記憶装置に複数のコースデータ及び複数のプレイヤーデータを保存しておき、ＰＣ１０からゴルフ情報利用装置２０に必要なデータをダウンロードできるようにすれば、かかる問題点を解消することができる。
【００６７】
また、ゴルフ情報利用装置２０に入力したスコアデータ等は、ＰＣ１０に保存されているコースデータ及びプレイヤーデータにフィードバックする必要がある。しかし、ゴルフ情報利用装置２０のスコア入力／参照機能を使用しつつ、ＰＣ１０上でデータの更新を行わなければならないのでは、あまりにも非効率的である。そこで、ゴルフ情報利用装置２０のデータをＰＣ１０にアップロードできるようにすれば、かかる問題を解消することができる。
【００６８】
このように、ＰＣ１０とゴルフ情報利用装置２０との間で、データのダウンロード及びアップロードを行う連携機能を備えていれば、データを入力或いは更新する手間が大幅に低減される。また、必要なデータは、ＰＣ１０からゴルフ情報利用装置２０にダウンロードされるので、ゴルフ情報利用装置２０の記憶装置の容量が少なくても済み、モバイルコンピュータに対するハード要求が緩和される。
【００６９】
ここで、かかる連携機能について、図１４〜図１８のフローチャート等を参照しつつ説明する。
図１４及び図１５は、ＰＣ１０からゴルフ情報利用装置２０にコースデータ等をダウンロードする処理内容を示し、具体的には、図１４はＰＣ１０側の処理、図１５はゴルフ情報利用装置２０側の処理を示す。
【００７０】
ステップ６０では、ＰＣ１０の表示装置１２に、図１６に示すように、ＰＣ１０の記憶装置に保存されているコースデータ及びプレイヤーデータの一覧を表示する。
ステップ６１では、表示されているコースデータ及びプレイヤーデータの一覧から、利用者にゴルフ情報利用装置２０にダウンロードするコースデータ及びプレイヤーデータを選択させる。なお、ダウンロードするコースデータ及びプレイヤーデータは、夫々少なくとも１つ選択されればよい。即ち、複数のコースデータを同時にダウンロードすることもできる。
【００７１】
ステップ６２では、選択されたコースデータ及びプレイヤーデータに基いて、記憶装置を検索し、ゴルフ情報利用装置２０に送信するデータを自動生成する。ステップ６３では、生成したデータをゴルフ情報利用装置２０に送信する。データの送信は、例えば、専用ケーブル、赤外線、ＰＣカード、インターネット等を介して行われる。
【００７２】
一方、ゴルフ情報利用装置２０側では、以下の処理が行われる。
ステップ７０では、ＰＣ１０から送信されたデータを受信する。
ステップ７１では、受信したデータに不足しているデータがあるか否か判断する。不足データとは、例えば、コースデータのみが送信された場合、プレイヤーデータがこれに該当する。
【００７３】
ステップ７２では、不足データの有無に基づく分岐処理を行う。即ち、不足データがあればステップ７４へと進み（Ｙｅｓ）、不足データがなければステップ７３へと進む（Ｎｏ）。
ステップ７３では、利用者からコースデータ或いはプレイヤーデータの更新要求があるか否か判断する。そして、更新要求があればステップ７４へと進み（Ｙｅｓ）、更新要求がなければ処理を終了する（Ｎｏ）。
【００７４】
ステップ７４では、ゴルフ情報利用装置２０の表示装置２４にデータ入力画面を表示し、利用者にコースデータ或いはプレイヤーデータの入力／更新を行わせる。
ステップ７５では、入力／更新されたコースデータ或いはプレイヤーデータを記憶装置に保存し、コースデータ及びプレイヤーデータの更新を行う。
【００７５】
図１７及び図１８は、ゴルフ情報利用装置２０からＰＣ１０に入力したスコア、メモ等をアップロードする処理内容を示し、具体的には、図１７はゴルフ情報利用装置２０側の処理、図１８はＰＣ１０側の処理を示す。
ステップ８０では、ゴルフ情報利用装置２０の記憶装置に保存されているデータをＰＣ１０に送信する。データの送信は、ダウンロードと同様に、専用ケーブル、赤外線、ＰＣカード、インターネット等を介して行われる。
【００７６】
一方、ＰＣ１０側では、以下の処理が行われる。
ステップ９０では、ゴルフ情報利用装置２０から送信されたデータを受信する。
ステップ９１では、受信したデータ（例えば、Ａコースデータ）が記憶装置に保存されているか否かを判断する。そして、データが保存されていればステップ９２へと進み（Ｙｅｓ）、データが保存されていなければステップ９３へと進む（Ｎｏ）。
【００７７】
ステップ９２では、受信したデータを記憶装置に上書きする。従って、ゴルフ情報利用装置２０側でコースデータが変更されていても、変更されたコースデータを記憶装置に上書きすることで、ＰＣの１０記憶装置に保存されているデータを最新のものにすることができる。
ステップ９３では、新規データに対応するエントリを作成し、記憶装置に作成したエントリ及び新規データを保存する。従って、ゴルフ情報利用装置２０側で新たなメンバの登録を行なっていても、登録したプレイヤーデータを記憶装置に保存することで、ＰＣ１０の記憶装置に保存されているデータを最新のものにすることができる。
【００７８】
以上説明した図１４及び図１５の処理によれば、ゴルフ情報利用装置２０に必要な情報をダウンロードする場合には、ＰＣ１０側で必要なコースデータ及びプレイヤーデータを選択する。すると、ダウンロードするデータが自動的に生成され、ゴルフ情報利用装置２０にデータが送信される。一方、ゴルフ情報利用装置２０側では、ＰＣ１０から送信されたデータを受信し、不足データがあるか否か判断する。そして、不足データがあったならば、利用者に不足データを入力させる。従って、ゴルフ情報利用装置２０におけるコースデータ及びプレイヤーデータの入力作業を、大幅に低減することができる。
【００７９】
また、図１７及び図１８の処理によれば、ゴルフ情報利用装置２０に入力したゴルフスコア等は、ＰＣ１０に送信される。そして、ＰＣ１０側では、ゴルフ情報利用装置２０から送信された情報を受信し、記憶装置に保存されているデータを自動的に更新する。従って、ＰＣ１０におけるゴルフスコア等の更新作業を、大幅に低減することができる。
【００８０】
なお、ＰＣ１０側では、ゴルフ情報利用装置２０から送信されたデータ、或いは、ＰＣ１０において入力されたデータに基づき、各種集計を行うようにすることもできる。各種集計としては、個人向け集計機能と、コンペ集計機能と、がある。個人向け集計機能は、例えば、各クラブの使用率、クラブ別の平均飛距離、クラブ別の平均ペナルティ数、得意クラブランキング等である。また、コンペ集計機能は、ホール別の使用クラブ率と飛距離、ホール別の平均パット数等である。
【００８１】
このような機能を実現するプログラムを、例えば、紙カード（パンチカード）、紙テープ、磁気テープ、磁気ディスク、磁気ドラム、ＩＣカード、ＣＤ−ＲＯＭ等の記録媒体に記録しておけば、本発明に係るゴルフ情報利用プログラムを市場に流通されることができる。そして、ゴルフ情報利用プログラムを取得した者は、例えば、モバイルコンピュータにゴルフ情報利用プログラムをインストールすることによって、ゴルフ情報利用装置を容易に構築することができる。
【００８２】
【発明の効果】
以上説明したように、請求項１又は請求項７に記載の発明によれば、各ホール毎にゴルフスコア以外の任意の文字列からなる個人のメモとしての補助情報を入力することができ、これをプレー後に参照することで、将来のプレーに役立てることができるようになる。従って、ゴルフ情報利用装置或いはゴルフ情報利用方法の有効利用を図ることができる。
【００８３】
請求項２記載の発明によれば、蓄積された補助情報を表示するときには、特定の補助情報を表示するか、或いは、複数の補助情報の概略を表示するかを利用者が選択できるので、ゴルフ情報利用装置の使い勝手を向上することができる。
請求項３記載の発明によれば、蓄積された補助情報の中から特定の補助情報を参照するときには、リスト形式で表示された複数の補助情報の概略の中から参照したい補助情報を選択し、第１の表示手段により補助情報を表示させる。従って、補助情報の検索効率が向上し、ゴルフ情報利用装置の使い勝手を向上することができる。
【００８４】
請求項４記載の発明によれば、リスト形式で表示される補助情報の概略は、特定情報をキーとしてソートされた順番に表示される。従って、補助情報の検索等を容易に行うことができるようになり、ゴルフ情報利用装置の使い勝手を向上することができる。
請求項５記載の発明によれば、ゴルフ情報利用装置の表示装置を最大限利用して、ゴルフスコアの集計結果或いは補助情報を表示することができる。
【００８５】
請求項６記載の発明によれば、補助情報及びゴルフスコアの集計結果を同時に参照することができるようになり、ゴルフ情報利用装置の有効利用を促進することができる。
請求項８記載の発明によれば、請求項１又は７に記載の発明の効果に加え、本発明に係るゴルフ情報利用プログラムを市場に流通させることができる。そして、かかるプログラムを記録した記録媒体を取得した者は、例えば、モバイルコンピュータにゴルフ情報利用プログラムをインストールすることにより、ゴルフ情報利用装置を容易に構築することができる。
【図面の簡単な説明】
【図１】ゴルフ情報利用システムの一実施形態を示すシステム図である。
【図２】ゴルフ情報利用装置に表示される画面の階層構造の説明図である。
【図３】コースデータ参照機能を説明し、（Ａ）はコースデータ参照画面、（Ｂ）はホールデータ参照画面、（Ｃ）はグリーンデータ参照画面の構成図である。
【図４】スコア入力／参照機能を説明し、（Ａ）はスコア入力／参照画面、（Ｂ）はボタンカスタマイズ画面、（Ｃ）は他クラブ設定画面の構成図である。
【図５】メモ入力／参照機能を説明し、（Ａ）はメモ入力画面、（Ｂ）はメモ１件画面、（Ｃ）はメモリスト画面の構成図である。
【図６】スコアの入力／参照処理を示すフローチャートである。
【図７】スコアの入力／参照処理を示すフローチャートである。
【図８】グラブ入力ボタンの変更処理を示すフローチャートである。
【図９】他クラブの設定処理を示すフローチャートである。
【図１０】メモの入力／参照処理を示すフローチャートである。
【図１１】メモの参照処理を示すフローチャートである。
【図１２】簡易個人データ参照画面の構成図である。
【図１３】オプション機能を説明し、（Ａ）はオプション画面、（Ｂ）はメンバ登録／変更画面の構成図である。
【図１４】ＰＣにおけるデータのダウンロード処理を示すフローチャートである。
【図１５】ゴルフ情報利用装置におけるデータのダウンロード処理を示すフローチャートである。
【図１６】データのダウンロード処理の手順説明図である。
【図１７】ゴルフ情報利用装置におけるデータのアップロード処理を示すフローチャートである。
【図１８】ＰＣにおけるデータのアップロード処理を示すフローチャートである。
【符号の説明】
２０・・・モバイルコンピュータ
５６・・・スコア表示欄
７４・・・クラブ入力部
７６・・・ペナルティ入力部
１２８・・・メモ表示欄
１３０・・・メモ入力ボード
１３２・・・「履歴」ボタン
１３６・・・「終了」ボタン
１４８・・・メモ表示欄
１５０・・・集計スコア表示欄
１５２・・・「１件」ボタン
１５４・・・「リスト」ボタン
１７６・・・メモリスト表示欄
１７８・・・集計スコア表示欄
１８０・・・「１件」ボタン
１８２・・・「リスト」ボタン
【図１】
0003722182.tif 000002
【図２】
0003722182.tif 000003
【図３】
0003722182.tif 000004
【図４】
0003722182.tif 000005
【図５】
0003722182.tif 000006
【図６】
0003722182.tif 000007
【図７】
0003722182.tif 000008
【図８】
0003722182.tif 000009
【図９】
0003722182.tif 000010
【図１０】
0003722182.tif 000011
【図１１】
0003722182.tif 000012
【図１２】
0003722182.tif 000013
【図１３】
0003722182.tif 000014
【図１４】
0003722182.tif 000015
【図１５】
0003722182.tif 000016
【図１６】
0003722182.tif 000017
【図１７】
0003722182.tif 000018
【図１８】
0003722182.tif 000019